(57)【要約】【課題】異なる種類のバッテリを用いて必要な電力を供給することができるバッテリアダプタを提供する。【解決手段】バッテリ１の種類毎に用意された端子台２は、特定種類のバッテリと通電連結するバッテリ中継入力端子２１と、このバッテリ中継入力端子２１と接続しているバッテリ中継出力端子２２と、特定のバッテリの識別するための識別体８とを備えている。端子台２が装着されるアダプタ本体３は、バッテリ中継出力端子と接続可能なバッテリ入力端子３１と、識別体８からバッテリ情報を取得するバッテリ情報取得部５と、バッテリ入力端子３１から入力された直流電力をユーザ利用電力に変換する電力変換部４と、バッテリ情報と入力された直流電力とに基づいてバッテリの状態を評価するバッテリ評価部６とを備えている。【選択図】図１
2014121180.tif 000002
【特許請求の範囲】
【請求項１】
バッテリの種類毎に用意された端子台と、この端子台が装着されるアダプタ本体を備え、かつ
前記端子台は、特定種類のバッテリと通電連結するバッテリ中継入力端子と、前記バッテリ中継入力端子と接続しているバッテリ中継出力端子と、前記特定のバッテリを識別するための識別体とを備え、
前記アダプタ本体は、前記バッテリ中継出力端子と接続可能なバッテリ入力端子と、前記識別体から前記バッテリの種類を識別するためのバッテリ情報を取得するバッテリ情報取得部と、ユーザ利用電力出力端子と、前記バッテリ入力端子から入力された直流電力をユーザ利用電力に変換して前記ユーザ利用電力出力端子に送る電力変換部と、前記バッテリ情報と前記バッテリ入力端子から入力された直流電力とに基づいて前記バッテリの状態を評価するバッテリ評価部とを備えているバッテリアダプタ。
【請求項２】
前記端子台に形成された装着部を着脱自在に装着する被装着部が前記アダプタ本体に備えられ、前記装着部にバッテリ中継出力端子が設けられるとともに前記被装着部に前記バッテリ入力端子が設けられ、前記端子台の前記アダプタ本体への装着時にバッテリ中継出力端子と前記バッテリ入力端子とが接続される請求項１に記載のバッテリアダプタ。
【請求項３】
前記識別体は前記装着部に形成された、前記バッテリの種別をコード化した形状を有する幾何形状部である請求項２に記載のバッテリアダプタ。
【請求項４】
前記幾何形状部は１つ以上の突起からなり、前記バッテリ情報取得部は前記端子台の装着時に前記突起によって操作される１つ以上のスイッチを含む請求項３に記載のバッテリアダプタ。
【請求項５】
前記識別体は前記バッテリ情報を記録した光学的または磁気的に読み取り可能なタグあるいはＩＣタグである請求項１に記載のバッテリアダプタ。
【請求項６】
前記バッテリ評価部には、前記バッテリ入力端子から入力された直流電圧に基づいて前記バッテリの放電を停止する過放電制御部が含まれている請求項１から５のいずれか一項に記載のバッテリアダプタ。
【請求項７】
前記電力変換部は、インバータ回路またはコンバータ回路あるいはその両方である請求項１から６のいずれか一項に記載のバッテリアダプタ。
【発明の詳細な説明】
【技術分野】
【０００１】
本発明は、バッテリを電源として所望の電力に変換して外部機器に給電するバッテリアダプタに関する。
【背景技術】
【０００２】
自動車内において外部から持ち込んだ電気機器を動作させるために車両に搭載されたバッテリを利用することは以前から知られている。例えば、特許文献１には、自動車のシガーライタソケットに差し込むことによってバッテリから電力を取り出すプラグ部と、取り出されたバッテリ電力を１００Ｖの交流電力に変換する直流・交流変換回路部と、この交流電力をユーザ利用電力として供給する交流コンセントとからなる車載用直流・交流変換装置（バッテリアダプタ）が開示されている。このようなバッテリアダプタは車内で用いられる電気機器には好都合であるが、自動車から遠く離れた場所での利用には不都合である。従って、停電などの緊急時に、自動車から離れた場所などで電力を必要とする機器を使用する場合には、もっと身近にあるバッテリ、例えば電動自転車用バッテリや電動工具用バッテリ、やや容量は少ないがパソコン用バッテリを、効果的に利用できるバッテリアダプタが必要となる。
【０００３】
上記のような各家庭に備えられているバッテリは、自動車用バッテリに較べて容量が少ないだけでなく、その出力端子の形状や配置が異なっている。さらには、バッテリ種類も、鉛酸、ニッカド、ニッケル水素、リチウムイオンと様々である。また、バッテリの利用にあたっては、バッテリに大きな負担を与えることになる過放電を避けなければならないという別な問題もある。リチウムイオンバッテリでは、バッテリ本体に過放電防止回路が内蔵されているのが一般的であるのに対して、その他のバッテリでは通常過放電防止回路が内蔵されていないので過放電にならないように監視する必要がある。また、長時間の停電時には、単一のバッテリの容量が限られていることから、複数の異なるバッテリを順番に使用しなければならない。しかしながら、上述したようにバッテリ種類がまちまちであるとともに、同種のバッテリであっても、その出力端子の形状や配置が異なることから、複数の異なるバッテリの利用には大きな負担がともなう。
【先行技術文献】
【特許文献】
【０００４】
【特許文献１】特開平１１−６９８４３号公報（図１）
【発明の概要】
【発明が解決しようとする課題】
【０００５】
上記実情に鑑み、本発明の目的は、異なる種類のバッテリを用いて必要な電力を供給することができるバッテリアダプタを提供することである。
【課題を解決するための手段】
【０００６】
上記目的を達成するため、本発明によるバッテリアダプタは、バッテリの種類毎に用意された端子台と、この端子台が装着されるアダプタ本体を備えている。前記端子台は、特定種類のバッテリと通電連結するバッテリ中継入力端子と、前記バッテリ中継入力端子と接続しているバッテリ中継出力端子と、前記特定のバッテリを識別するための識別体と備えている。前記アダプタ本体は、前記バッテリ中継出力端子と接続可能なバッテリ入力端子と、前記識別体から前記バッテリの種類を識別するためのバッテリ情報を取得するバッテリ情報取得部と、ユーザ利用電力出力端子と、前記バッテリ入力端子から入力された直流電力をユーザ利用電力に変換して前記ユーザ利用電力出力端子に送る電力変換部と、前記バッテリ情報と前記バッテリ入力端子から入力された直流電圧とに基づいて前記バッテリの状態を評価するバッテリ評価部とを備えている。
【０００７】
このバッテリアダプタは、異なる種類のバッテリ毎に用意された端子台を付属部材として備えている。個別の端子台は、当該端子台に適用する特定種類のバッテリと通電連結するバッテリ中継入力端子とこのバッテリ中継入力端子に接続しているバッテリ中継出力端子を備えている。バッテリアダプタの各端子台は、バッテリアダプタのアダプタ本体側に装着される。その際、端子台側のバッテリ中継出力端子はアダプタ本体側のバッテリ入力端子と接続されるので、バッテリから出力される直流電力はバッテリ中継入力端子を経てバッテリ中継出力端子に供給される。バッテリ中継出力端子に供給された直流電力は、仕様によって決められているユーザ利用電力に変換され、ユーザ利用電力出力端子から取り出し可能となる。さらに、連結されたバッテリを識別するために端子台に設けられた識別体からバッテリ情報取得部が当該バッテリのバッテリ情報を取得する。バッテリ評価部は、給電中のバッテリの状態を、バッテリの直流電力に基づいて評価するが、その際評価すべきバッテリの種類等のバッテリ情報をバッテリ情報取得部から得られるので、使用しているバッテリに適した評価が可能となる。
【０００８】
本発明の好適な実施形態の１つでは、前記端子台に形成された装着部を着脱自在に装着する被装着部が前記アダプタ本体に備えられ、前記装着部にバッテリ中継出力端子が設けられるとともに前記被装着部に前記バッテリ入力端子が設けられ、前記端子台の前記アダプタ本体への装着時にバッテリ中継出力端子と前記バッテリ入力端子とが接続される。この構成では、端子台をアダプタ本体に装着することで機械的にバッテリ中継出力端子とバッテリ入力端子との接続が実現するのでユーザ操作が楽になる。また、バッテリ中継出力端子とバッテリ入力端子がそれぞれ装着部と被装着部に設けられているので、装着構造がコンパクトになる。
【０００９】
バッテリ情報は利用するバッテリの種別や内蔵された機能をバッテリアダプタのアダプタ本体に認識させために用いられるが、取り扱うバッテリの種類をある程度限定することができる場合、取り扱うバッテリの種別を部材の幾何形状的なパターンで表すことができる。このことから、前記識別体の好適な実施形態の１つは、前記装着部に形成された、前記バッテリの種別をコード化した形状を有する幾何形状部である。幾何形状部の具体例として、前記幾何形状部は１つ以上の突起から構成することができる。その際、そのような突起は、前記端子台の装着時に機械的にスイッチを操作することができるので、前記バッテリ情報取得部は前記突起によって操作される１つ以上のスイッチを備えることで、装着された端子台に連結されているバッテリの種類を認識することができる。
【００１０】
取り扱うバッテリの種類が多い場合や、バッテリ情報にバッテリ種別だけでなくバッテリ電圧や過放電時電圧などの情報も含ませる場合、前記識別体は前記バッテリ情報を記録した光学的または磁気的に読み取り可能なタグあるいはＩＣタグで構成することが好ましい。
【００１１】
リチウムイオンバッテリ、ニッケル水素バッテリ、ニッカドバッテリには、通常、過放電防止機能が内蔵されており、過放電電圧が検出されると放電を停止されるが、鉛酸バッテリなどではそのような過放電検出機能が内蔵されていないものがほとんどである。このため、本発明の好適な実施形態の１つでは、前記バッテリ評価部には、前記バッテリ入力端子から入力された直流電圧に基づいて前記バッテリの放電を停止する過放電制御部が含まれている。これにより、過放電防止機能が内蔵されていないバッテリであっても、過放電制御部が過放電を防止するので、他の機器に使用されているバッテリや借りてきたバッテリを安心して利用することができる。
【００１２】
停電時に家庭で最も必要となる電源はＡＣ電源であることから、前記電力変換部が、インバータ回路として構成されることが好ましい。ただし、災害時には、携帯電話などの充電も重要となるので、バッテリ電圧を携帯電話に適した充電電圧に調整するようなコンバート回路も重要である。このため電力変換部には、インバータ回路とコンバート回路を両方備えて、ユーザ利用電力出力端子を、ＡＣ及びＤＣのいずれかを選択的に、あるいは両方が給電されるように構成することが最適である。しかしながら、コスト的な負担を考慮して、どちらか一方だけに限定することも本発明では除外されていない。また、前記電力変換部が選択可能な複数のインバータ回路または複数のコンバート回路あるいはその両方を備えることも可能である。
【図面の簡単な説明】
【００１３】
【図１】本発明によるバッテリアダプタの基本構成を説明する模式図である。
【図２】本発明の具体的な実施形態の１つであるバッテリアダプタの斜視図である。
【図３】アダプタ本体に装着される端子台を示す斜視図である。
【図４】異なる種類のバッテリを示す模式図である。
【図５】アダプタ本体に内蔵されている給電システムの機能ブロック図である。
【図６】識別体としてバーコード又はＩＣタグを用いた別実施形態を示す説明図である。
【発明を実施するための形態】
【００１４】
まず、図１を用いて本発明によるバッテリアダプタの基本構成を説明する。このため、図１におけるバッテリアダプタを構成する構成要素の形状等は、概念的に図示されている。バッテリアダプタは、端子台２とアダプタ本体３とから構成されている。端子台２は、バッテリ１の種類毎に用意されている。各端子台２には、割り当てられるバッテリ１のバッテリ端子１０の形状や配置に適合するバッテリ中継入力端子２１が設けられている。例えば、タイプＡのバッテリ（例えばリチウムイオンバッテリ）１ａに割り当てられた端子台２は、このバッテリ１ａのバッテリ端子１０に適合するバッテリ中継入力端子２１を備えており、バッテリ１ａを端子台２に取り付けることで、バッテリ端子１０とバッテリ中継入力端子２１とが容易に連結することができる。その際、バッテリ１ａの端子台２への取り付けにともなって、バッテリ端子１０とバッテリ中継入力端子２１とが自動的に通電連結されることが好ましい。図１では、同様に、タイプＢのバッテリ（例えばニッケル水素バッテリ）１ｂに対応する端子台２、タイプＣのバッテリ（例えば鉛酸バッテリ）１ｃに対応する端子台２も用意されている。また、同じリチウムイオンバッテリであってもバッテリ端子１０の形状や配置やバッテリ電圧仕様等が異なるものに対しても別個の端子台２が用意される。なお、以後、特別に種類を区別する必要がある以外では、単にバッテリ１と記述する。
【００１５】
種類毎に用意されている端子台２は、バッテリ中継入力端子２１に接続している共通仕様のバッテリ中継出力端子２２及び装着部２４を備えている。バッテリ中継出力端子２２と装着部２４は、全ての端子台２において同一形状である。アダプタ本体３には、この装着部２４に対応する装着形状を有する被装着部３４が設けられているので、全ての端子台２は単一のアダプタ本体３に装着可能である。なお、図1では、端子台２の一方の端部領域が装着部２４として機能し、被装着部３４はこの装着部２４を嵌入させるためにアダプタ本体３に形成された凹部である。アダプタ本体３には、バッテリ中継出力端子２２と接続する形状を有するバッテリ入力端子３１が設けられているので、アダプタ本体３は全ての端子台２のバッテリ中継出力端子２２とバッテリ入力端子３１とは接続可能である。被装着部３４に装着部２４を装着することで、機械的にバッテリ中継出力端子２２とバッテリ入力端子３１とが接続するような構成を採用すると好都合である。例えば、これは、装着部２４を凸部として形成するとともに被装着部３４をその凸部に対応する凹部として形成した場合、その凸部の周囲にバッテリ中継出力端子２２を設けて、その凹部の周囲にバッテリ入力端子３１を設けることにより、実現可能である。
【００１６】
さらに端子台２には、種類の異なるバッテリ１を識別するための識別体８が備えられている。この識別体８によって、端子台２に取り付けられているバッテリ１が特定のタイプ（例えばタイプＡ）であることをアダプタ本体３側が検知することができる。つまり、識別体８は、バッテリ１を識別するためのバッテリ情報を与える機能を有する。識別体８としては種々なものを採用することができるので、ここでは、具体的な形状を示すのではなく、識別体８を上位概念で表すために模式的に示している。識別体８の具体的で簡単な構成としては、コード化したバッテリ情報を突起（又は欠落部や孔）の有無で与える構成が挙げられる。そのような構成では、アダプタ本体３に備えられるバッテリ情報を取得するバッテリ情報取得部５は、この突起の有無によってＯＮ・ＯＦＦ操作されるスイッチの信号処理機能部で構築できる。もちろん、そのようなスイッチに代えて光学センサまたは磁気センサを用いて光学的または磁気的に突起の有無を検知してもよい。さらには、識別体８をバーコードシールとし、バッテリ情報取得部５をバーコードリーダで構成してもよい。識別体８の配置場所に制限を与えたくない場合には、識別体をＩＣタグとし、バッテリ情報取得部５をＩＣタグリーダとして、無線でバッテリ情報を取得する構成を採用しても良い。
【００１７】
アダプタ本体３には、外部電気機器に給電するための端子またはサービスコンセントとして機能するユーザ利用電力出力端子３２が外装されている。また、アダプタ本体３の中核機能として、バッテリ１からバッテリ入力端子３１を通じて入力される直流電力を所定の電力に変換してユーザ利用電力出力端子３２に出力する電力変換部４が備えられている。さらには、電力変換プロセスの間、バッテリ情報取得部５によって得られたバッテリ情報とバッテリ入力端子３１を通じて入力されるバッテリ１の直流電力とに基づいて、装着された端子台２に取り付けられているバッテリ１の状態を評価するバッテリ評価部６が備えられている。バッテリ評価部６による評価内容は、バッテリ１の起電力、電圧変動や電流変動、などが挙げられる。バッテリ評価部６の特に好ましい形態は、バッテリ入力端子３１から入力された直流電圧に基づいてバッテリ１の放電を停止する過放電制御部として機能することである。この過放電制御においては、バッテリ情報から当該バッテリ１の過放電電圧値を決定し、バッテリ入力端子３１の直流電圧がこの過放電電圧値以下となった場合、バッテリ入力端子３１からの電力が遮断される。バッテリ１の種類によって過放電電圧値は異なるが、バッテリ情報から利用しているバッテリ１の過放電電圧値が求められるようにすることで、確実な過放電防止が実現する。
【００１８】
ユーザ利用電力出力端子３２がＡＣコンセントであれば、電力変換部４はインバータ回路を中核として構成される。また、ユーザ利用電力出力端子３２がＤＣ出力端子であれば、電力変換部４はＤＣ−ＤＣコンバータ回路を中核として構成される。もちろん、ユーザ利用電力出力端子３２がＡＣコンセントとＤＣ出力端子の両方を備える構成であれば、電力変換部４はインバータ回路とＤＣ−ＤＣコンバータ回路とを備えることになる。
【００１９】
次に、図面を用いて、本発明によるバッテリアダプタの具体的な実施形態の１つを説明する。図２はバッテリユニットの斜視図であり、（ａ）は準備中の状態を示し、（ｂ）は給電動作中の状態を示している。このバッテリアダプタは、電動自転車用のバッテリ１を電源としてＡＣ１００Ｖを出力するように構成されており、アダプタ本体３と端子台２とを備えている。端子台２は、ここでは図３で示すように、アダプタ本体３のハウジング３０の側面に形成されている被装着部としての装着凹部３４に、扁平直方体状の端子台２の一端に形成されている装着部２４が差し込まれる。端子台２の装着部２４とは反対側の端部に、取っ手２５が形成されている。アダプタ本体３のハウジング３０には、装着された端子台２にバッテリ１を案内するため及び端子台２に取り付けられたバッテリ１を保持するための保持枠体３５が設けられている。
【００２０】
図４にその一部が示されているように、電動自転車の各メーカから多くの種類の電動自転車用のバッテリ1が提供されている。例えば、図４の（ａ）には、バッテリハウジングの下端に形成された嵌合部１１の周壁に４つの接点からなるバッテリ端子１０が設けられたバッテリ１ａが示されている。この４つの接点のうち右側の２個が給電線につながっており、左側の２個が制御線につながっている。従って、このバッテリ１ａを取り付けるための端子台２には、この嵌合部１１に適合する嵌入凹部２０が形成されている。さらに、図３から理解できるように、嵌入凹部２０には、嵌合部１１がはめ込まれた際に、バッテリ端子１０の右側の２個の接点と接触する接点からなるバッテリ中継入力端子２１が設けられている。
【００２１】
図４の（ｂ）には、バッテリハウジングの下端に形成された嵌合部１１の周壁に４つの接点からなるバッテリ端子１０が設けられたバッテリ１ｂが示されている。この４つの接点のうち外側の２個が給電線につながっており、内側の２個は内部のサーミスタにつながっている。従って、このバッテリ１ａを取り付けるための端子台１の嵌入凹部２０には嵌合部１１がはめ込まれた際に、バッテリ端子１０の外側の２個の接点と接触する接点からなるバッテリ中継入力端子２１が設けられている。なお、バッテリ中継入力端子２１として内側の２個の接点と接触する接点を設け、当該接点から得られるサーミスタ信号をアダプタ本体３に送ることで、サーミスタ信号に基づくバッテリ温度の報知などを行なうことも可能である。
【００２２】
図４の（ｃ）には、バッテリハウジングの下端に形成された嵌合部１１の底壁から突起した４つの平ピンからなるバッテリ端子１０が設けられたバッテリ１ｃが示されている。この４つの接点のうち外側の２個は、結合補強のための補強ピン（ダミーピン）であり、内側の２個は給電線につながっている。従って、このバッテリ１ａを取り付けるための端子台１の嵌入凹部２０には嵌合部１１がはめ込まれた際に、バッテリ端子１０の４個の平ピンを受け入れるピン孔からなるバッテリ中継入力端子２１が設けられおり、そのうちの内側の２個のピン孔に給電線用接点が設けられている。
【００２３】
図４に例示したように、バッテリ１のバッテリ端子１０は、種々の形態で配置されているので、各バッテリ１の嵌合部１１に適合した嵌入凹部２０とバッテリ端子１０に適合したバッテリ中継入力端子２１を備えた端子台２が用意されている。但し、端子台２は、複数種類のバッテリ１のための中継部材として機能するように、全ての端子台２において、その装着部２４はアダプタ本体３の被装着部３４の形状寸法に適合されている。
【００２４】
図３に示すように、端子台２の装着部２４は、アダプタ本体３の装着凹部３４に差し込まれるが、この装着部２４には、バッテリ中継入力端子２１に接続しているバッテリ中継出力端子２２が設けられている。バッテリ中継出力端子２２は、アダプタ本体３にバッテリ電力を送り出す目的をもっているので、装着凹部３４に差し込まれた際にバッテリ中継出力端子２２と接触するような位置関係でバッテリ入力端子３１が、装着凹部３４の内周壁に設けられている。端子台２におけるバッテリ中継出力端子２２の位置はすべての種類の端子台２に共通しているので、バッテリ入力端子３１は、各種のバッテリ１のバッテリ電力を端子台２を介して受け取ることができる。
【００２５】
さらに、端子台２の装着部２４の底部には、上述した識別体８として機能することができる幾何形状体としての突起８１が設けられている。この突起８１の数とその位置は端子台２によって異なっている。ここでは、最大３つの突起８１が設けられるように設計されているので、その突起８１の有無で、いわゆる３ビットの情報を表すことができる。これは、最大８種類のバッテリ１を識別することができることを意味する。アダプタ本体３の装着凹部３４には、この突起８１に有無によるバッテリ情報を検知するために、突起８１によってＯＮまたはＯＦＦ操作される３つの種別検出スイッチ５２が設けられている。この３つ種別検出スイッチ５２が突起８１の有無によって「０００」から「１１１」までの８種類の信号を生成する。あらかじめ、この信号にバッテリ１の種類の割り当てておけば、利用するバッテリ１の種類を検知することができる。さらには、そのコードをテーブル化したマップを、用いることで、その定格起電力、過放電電圧などのバッテリ情報を得ることができる。
【００２６】
図５には、アダプタ本体に内蔵されている給電システムの機能ブロック図が示されている。主な構成要素として、電力変換器４、バッテリ情報取得部５、バッテリ評価部６が備えられている。この実施形態では、電力変換器４はインバータ回路４１として構築されている。またバッテリ評価部６は、過放電を防止する過放電制御部６１を構築している。
【００２７】
バッテリ情報取得部５は、種別検出スイッチ５２が接続されており、上述したバッテリ１の種類を表す識別信号が入力される。バッテリ情報取得部５は入力された識別信号に基づいて端子台２に載置されたバッテリ１の種類を検知し、過放電電圧や定格起電力をバッテリ評価部６に与えて、制御しきい値として設定する。過放電制御部６１は、バッテリ入力端子３１に接続された給電線３６が接続されており、バッテリ入力端子３１の電圧つまりバッテリ電圧を検出し、設定されている過放電電圧と比較する。検出されたバッテリ電圧が過放電電圧まで低下すると、過放電防止のために、給電線３６に介装された遮断スイッチ６１ａを動作させ、給電線３６を遮断する。バッテリ評価部６は報知デバイス７としてのランプやブザーを駆動する駆動回路を備えており、バッテリ電圧が過放電電圧まで低下すると、警告ランプや警報ブザーを通じて、バッテリ１の交換をユーザに促す。
【００２８】
インバータ回路４は、よく知られているように直流を交流に変換する回路であり、ここでは詳しい説明は省略するが、給電線３６を通じて入力されるバッテリ電圧を昇圧するとともにＤＣ−ＡＣ変換を行うことで生成されたＡＣ１００Ｖをユーザ利用電力出力端子３２の一形態であるＡＣコンセント３２ａに出力する。ユーザは、使用したい交流電気機器のプラグをＡＣコンセント３２ａに差し込むことにより、バッテリ１を電源として交流電気機器を使用することができる。例えば、災害等による停電時には、ガス供給は無事であったとしても、ガス給湯器やガス炊飯器がＡＣ１００Ｖを必要とする場合、ガス給湯器やガス炊飯器を動作させることができない。しかしながら、自宅や近所にある電動自転車用のバッテリ１を、そのバッテリ１に種類に適合する端子台２に取り付け、端子台２をアダプタ本体３に装着することで、電源確保が可能となり、給湯器やガス炊飯器を動作させることができる。
【００２９】
〔別実施の形態〕
（１）上述した実施形態では、１つのアダプタ本体３に１つの端子台２だけが装着可能な構成であったが、１つのアダプタ本体３に複数の端子台２が装着可能とし、複数のバッテリ１を電源として用いても良い。
（２）ＡＣコンセント３２ａとして、さらに異なる電圧のものを設けても良い。
（３）電力変換部としてさらにＤＣ−ＤＣコンバータ回路を設けるともに、ユーザ利用電力出力端子３２としてＤＣ出力端子も設けてもよい。
（４）図６に示すように、識別体として、種別検出スイッチ５２を操作する突起ではなく、バーコードシール８２またはＩＣタグ８３を採用しても良い。その場合には、バッテリ情報取得部５は、バーコードリーダ５４またはタグリーダ５５として構築される。
【産業上の利用可能性】
【００３０】
本発明は、異なる種類のバッテリを用いて、所望の電力を出力するバッテリアダプタに適用可能である。
【符号の説明】
【００３１】
１  ：バッテリ
１０：バッテリ端子
２  ：端子台
２１：バッテリ中継入力端子
２２：バッテリ中継出力端子
２４：装着部
３  ：アダプタ本体
３０：ハウジング
３１：バッテリ入力端子
３２：ユーザ利用電力出力端子
３２ａ：ＡＣコンセント
３２ｂ：ＤＣ出力端子
３４：被装着部
４  ：電力変換部
４１：インバータ回路
４２：コンバータ回路
５  ：バッテリ情報取得部
５２：種別検出スイッチ
５４：バーコードリーダ
５５：タグリーダ
６  ：バッテリ評価部
６１：過放電制御部
６２：バッテリ寿命判定部
８  ：識別体
８２：バーコードシール
８３：ＩＣタグ
８１：突起（幾何形状部）
【図１】
2014121180.tif 000003
【図２】
2014121180.tif 000004
【図３】
2014121180.tif 000005
【図４】
2014121180.tif 000006
【図５】
2014121180.tif 000007
【図６】
2014121180.tif 000008